(57)【要約】【課題】  ポールの径の太さに関わらず容易に被固定本体をポールに固定することができるポール取付用アタッチメントを実現することを目的にする。【解決手段】  本発明は、被固定本体をポールに固定するポール取付用アタッチメントに改良を加えたものである。本装置は、被固定本体に取り付けられるメインブラケットと、このメインブラケットとでポールを挟持するサブブラケットと、このサブブラケットとメインブラケットを連結するボルトとを具備し、メインブラケットは、主板の両端に腕部が設けられ断面形状が概略コの字であり、一端に前記ポールを嵌め込む切り欠き部が設けられた上部ブラケットと下部ブラケットとを有し、上部ブラケットと下部ブラケットそれぞれの腕部の先端側から腕部を重ねることを特徴とするものである。【選択図】                    図１
2005299763.tif 000002
【特許請求の範囲】
【請求項１】
被固定本体をポールに固定するポール取付用アタッチメントにおいて、
被固定本体に取り付けられるメインブラケットと、
このメインブラケットとで前記ポールを挟持するサブブラケットと、
このサブブラケットと前記メインブラケットを連結するボルトと
を具備し、前記メインブラケットは、
主板の両端に腕部が設けられ断面形状が概略コの字であり、一端に前記ポールを嵌め込む切り欠き部が設けられた上部ブラケットと、
主板の両端に腕部が設けられ断面形状が概略コの字であり、一端に前記ポールを嵌め込む切り欠き部が設けられた下部ブラケットと、
を有し、前記上部ブラケットと前記下部ブラケットそれぞれの腕部の先端側から腕部を重ね合わせることを特徴とするポール取付用アタッチメント。
【請求項２】
上部ブラケットと下部ブラケットは、前記ポールの径の太さごとに主板の幅を変えることを特徴とする請求項１記載のポール取付用アタッチメント。
【発明の詳細な説明】
【技術分野】
【０００１】
本発明は、被固定本体をポールに固定するポール取付用アタッチメントに関し、詳しくは、ポールの径の太さに関わらず容易に被固定本体をポールに固定することができるポール取付用アタッチメントに関するものである。
【背景技術】
【０００２】
従来から、被固定本体（例えば、屋外用アンテナ関連機器）をアンテナマスト等のポールに固定するにあたっては、ポール取付用アタッチメントが用いられる。このアタッチメントは、ポールを挟むための概略Ｕ型または概略Ｖ型の凹部をもつメインブラケットとサブブラケットとでポールを狭持する。もちろん、メインブラケットとサブブラケットとは、ボルトやナットを用いてネジ止めして連結固定する（例えば、特許文献１参照）。
【０００３】
図４は、被固定本体の斜視図である。図４において、被固定本体１は、背面（アタッチメントの取付面）にだるま状のポール取付ボルト用固定穴２、ポール取付金具取付用雌ネジ３が設けられる。
【０００４】
続いて、図５、図６は、従来のアタッチメントを用いて被固定本体１を、仕様で定められた径以下の細いポールに取り付けた状態の構成を示す図である。なお、図５は斜視図であり、図６は側面図である。ここで、図４と同一のものには同一符号を付し説明を省略する。図４〜図６において、ポール４は、アタッチメントの仕様で定められた径以下の細いポールである。メインブラケット５は、主板の両端に腕部が取り付けられ断面形状が概略コの字であり、ポール４に対向する腕部の辺面にパイプ４とかみ合うように鋸歯状の切り欠き部（凹部）が設けられ、主板の背面に被固定本体１が取り付けられる。
【０００５】
サブブラケット６は、断面形状が概略コの字であり、ポール４に対向する腕部の辺面にメインブラケット５と同様にパイプ４とかみ合うように鋸歯状の切り欠き部が設けられる。固定ボルト７は、被固定本体１とメインブラケット５とを固定する。固定ボルト８は、メインブラケット５とサブブラケット６とを連結して固定する。固定ナット９は、固定ボルト８をネジ止めする。
【０００６】
なお、サブブラケット６の主板の長手方向の一端近傍には、内径が固定ナット９の外径よりも十分に大きい大径部と、内径が固定ナット９の外径よりも小さくて固定ボルト８の外径よりも大きい小径部とが連結されただるま状のボルト挿入穴がある。またサブブラケット６の他端近傍には、内径が固定ナット９の外径よりも小さくて固定ボルト８の外径よりも大きい通常のボルト挿入穴が設けられている。
【０００７】
また、ポール４の仕様の直径Ｒｐは、被固定本体１の固定穴２のピッチをＰ１とし、固定ボルト８の直径をＲｂとすれば、下記の式（１）となる。
Ｒｐ＜（Ｐ１−Ｒｂ）            （１）
従って、式（１）よりも太い直径のポールは仕様外となる。
【０００８】
このような装置の取付動作を説明する。
あらかじめメインブラケット５とサブブラケット６とを、パイプ４を挟むように対向させた状態で、固定ボルト８をメインブラケット５側からメインブラケット５、サブブラケット６に挿入して、固定ナット９で組み込む。なお、固定ナット９が固定ボルト８から脱落しないように固定ナット９や固定ボルト８を変形させておくとよい。
【０００９】
このような構成で、メインブラケット５を固定ボルト７と雌ネジ３により、被固定本体１に取り付ける。なお、固定ボルト８は固定穴２に挿入される。次に、サブブラケット６に設けらているだるま状のボルト挿入穴の大径部から固定ボルト８を外す。そして、図７に示すように、ポール４をメインブラケット５とサブブラケット６とで挟み込む。ここで図７は、ポールへの取付手順を示す構成図である。なお、被固定本体１の図示は省略している。そして、固定ボルト８を再度サブブラケット６の大径部から挿入してメインブラケット５、サブブラケット６の切り欠き部にポール４を嵌め合わせ、固定ボルト８と固定ナット９により取り付ける。
【００１０】
続いて、仕様外の太いポール（Ｒｐ＞（Ｐ１−Ｒｂ））に被固定本体１を取り付ける場合のアタッチメントの説明をする。図８、図９は、アタッチメントを用いて被固定本体１を仕様外の太いポールに取り付けた状態の構成を示す図である。なお、図８は斜視図であり、図９は側面図である。ここで、図４〜図７と同一のものには同一符号を付し説明を省略する。
【００１１】
図８、図９において、ポール４’は、アタッチメントの仕様で定められた径よりも太いポールである。このような太いポール４’に取り付ける場合、被固定本体１の固定穴２をポール４’の径に合わせて変更することはないので、アタッチメントを変更する。ブラケット１０は、断面形状が概略コの字であり、背面に被固定本体１が取り付けられる。スペーサ用ブラケット１１は、断面形状が概略コの字である。メインブラケット１２、サブブラケット１３は、メインブラケット５、サブブラケット６の代わりに用いられ、ポール４と対向する辺面にパイプ４とかみ合うように鋸歯状の切り欠き部が設けられる。なお、スペーサ用ブラケット１１は、背面がメインブラケット１２の背面と接し、腕部の先端がブラケット１０の主板の内面に接する。固定ボルト１４は、固定ボルト８の代わりに用いられる。固定ボルト１５は、ブラケット１０〜１２を固定する。固定ナット１６は、固定ボルト１５をネジ止めする。
【００１２】
このような装置の取付動作を説明する。
図５に示すアタッチメントと同様にメインブラケット１２、サブブラケット１３、固定ボルト１４、固定ナット９を組み立てる。そして、スペーサ用ブラケット１１をメインブラケット１２とブラケット１０との間にいれ、固定ボルト１５をブラケット１０の背面側からブラケット１０、１１、１２に挿入して、固定ナット１６で固定する。
【００１３】
このような構成で、ブラケット１０を固定ボルト７と雌ネジ３により、被固定本体１に取り付ける。なお、ボルト１５が固定穴２に挿入される。次に、図５に示すアタッチメントと同様にポール４’をメインブラケット１２とサブブラケット１３とで挟み込んで、それぞれの切り欠き部にポール４’を嵌め合わせ、固定ボルト１４と固定ナット９により取り付ける。
【００１４】
【特許文献１】特公昭６２−２５８８３号公報
【発明の開示】
【発明が解決しようとする課題】
【００１５】
このように、被固定本体１にポール取付ボルト用固定穴２が設けられるので、取付可能なポール４の直径は式（１）となる。そして、仕様内の細いポール４の場合、図５、図６に示されるようにメインブラケット５、サブブラケット６で取付が行える。一方、仕様よりも太い径のポール４’の場合、図８、図９に示されるように、太いポール４’の直径よりも大きい取付穴ピッチを有したメインブラケット１２、サブブラケット１３のセットになる。そのため、ボルト１４を固定穴２に挿入することができないので、別途ブラケット１０、１１を用意し、これらのブラケット１０、１１を介して固定する必要がある。
【００１６】
しかしながら、ブラケット１０〜１２、ポール４’が密接した狭いスペースにて固定ボルト７、１４、１５、固定ナット１６を組み合わせて固定する必要があり、作業が非常に困難になるという問題があった。特に、被固体本体１が屋外用アンテナ関連機器等の場合、危険な高所での作業が多く、作業自体が危険になるという問題もあった。
【００１７】
また、ポール４、４’の径ごとにメインブラケット５、１２とサブブラケット６、１３とを連結する固定ボルト８、１４の長さが１対１に対応するので、最適な長さの固定ボルト８、１４を用意する必要がある。もちろん固定ボルト８、１４の長さが異なれば、必要な強度を得るために固定ボルト８、１４の直径も異なってしまう。そのため、ポール４、４’ごとに固定ボルト８、１４およびネジ止めするための工具を用意する必要があり、作業が困難になるという問題があった。
【００１８】
さらに、ブラケット１１のように、スペーサとして使用する部品が増え、作業が困難になるという問題があった。
【００１９】
そこで本発明の目的は、ポールの径の太さに関わらず容易に被固定本体をポールに固定することができるポール取付用アタッチメントを実現することにある。
【課題を解決するための手段】
【００２０】
請求項１記載の発明は、
被固定本体をポールに固定するポール取付用アタッチメントにおいて、
被固定本体に取り付けられるメインブラケットと、
このメインブラケットとで前記ポールを挟持するサブブラケットと、
このサブブラケットと前記メインブラケットを連結するボルトと
を具備し、前記メインブラケットは、
主板の両端に腕部が設けられ断面形状が概略コの字であり、一端に前記ポールを嵌め込む切り欠き部が設けられた上部ブラケットと、
主板の両端に腕部が設けられ断面形状が概略コの字であり、一端に前記ポールを嵌め込む切り欠き部が設けられた下部ブラケットと、
を有し、前記上部ブラケットと前記下部ブラケットそれぞれの腕部の先端側から腕部を重ね合わせることを特徴とするものである。
【００２１】
請求項２記載の発明は、請求項１記載の発明において、
上部ブラケットと下部ブラケットは、前記ポールの径の太さごとに主板の幅を変えることを特徴とするものである。
【発明の効果】
【００２２】
本発明によれば、以下のような効果がある。
請求項１、２によれば、メインフレームが、概略コの字の上部ブラケットと概略コの字の下部ブラケットとを対向して重ね合わせるので、メインフレームの断面形状が概略ロの字となり、メインフレームの内部に作業スペースを確保できる。これにより、被固定本体、メインフレーム、サブフレームのそれぞれを固定する固定ボルトや固定ナットを容易に取り付けることができる。従って、ポールの径の太さに関わらず容易に被固定本体をポールに固定することができる。
【００２３】
また、ポールの径の太さに関わらず使用するブラケットの数が同じなので、スペーサ用ブラケットが不要となり、部品点数を削減することができる。従って、ポールの径の太さに関わらず容易に被固定本体をポールに固定することができる。
【００２４】
請求項２によれば、ポールの径によって主板の幅の寸法が異なるメインブラケットを用いるので、ボールの直径にあわせて固定ボルトの長さを変更する必要がない。これにより、固定ボルトは１種類で済み、工具も１種類でよい。従って、ポールの径の太さに関わらず容易に被固定本体をポールに固定することができる。
【発明を実施するための最良の形態】
【００２５】
以下図面を用いて本発明の実施の形態を説明する。
図１、図２は、本発明の一実施例を示す構成図であり、図１は斜視図であり、図２は側面図である。ここで、図４、図８と同一のものには同一符号を付し説明を省略する。図１、図２において、固定ボルト１４の代わりに図５に示す固定ボルト８が設けられる。
【００２６】
ブラケット１０、１１が取り外され、メインブラケット１２の代わりに上部ブラケット１７と下部ブラケット１８とを固定ボルト１９で組み立てたメインブラケット２０が設けられる。ここで、図３は、メインブラケット２０を示す構成図である。図３（ａ）は、上部ブラケット１７と下部ブラケット１８を固定ボルト１９で固定した状態図であり、図３（ｂ）は上部ブラケット１７であり、図３（ｃ）は下部ブラケット１８である。
【００２７】
上部ブラケット１７は、主板１７ａの両端に腕部１７ｂ、１７ｃが設けられ断面形状が概略コの字となる。そして、主板１７ａの一端（腕部１７ｂが設けられる側）にポール４’を嵌め込む鋸歯状の切り欠き部１７ｄが設けられる。
【００２８】
下部ブラケット１８は、主板１８ａの両端に腕部１８ｂ、１８ｃが設けられ断面形状が概略コの字とある。そして、主板１８ａの一端（腕部１８ｂが設けられる側）にポール４’を嵌め込む鋸歯状の切り欠き部１８ｄが設けられる。
【００２９】
そして、ブラケット１７、１８それぞれの腕部１７ｂ、１８ｂにはブラケット１７、１８を連結する固定ボルト１９用のボルト挿入穴と固定ボルト８用のボルト挿入穴が設けられ、腕部１７ｃ、１８ｃには被固定本体１と連絡されるボルト挿入穴が設けられる。
【００３０】
サブブラケット２１は、図８に示すサブブラケット１３と同一であり、断面形状が概略コの字であり、ポール４’に対向する腕部の辺面にパイプ４’とかみ合うように鋸歯状の切り欠き部が設けられる。また、サブブラケット２１の主板の長手方向の一端近傍には、内径が固定ナット９の外径よりも十分に大きい大径部と、内径が固定ナット９の外径よりも小さくて固定ボルト８の外径よりも大きい小径部とが連結されただるま状のボルト挿入穴がある。またサブブラケット２１の他端近傍には、内径が固定ナット９の外径よりも小さくて固定ボルト８の外径よりも大きい通常のボルト挿入穴が設けられている。
【００３１】
このような装置の取付動作を説明する。
まずあらかじめ、メインブラケット２０を組み立てる。上部ブラケット１７の腕部１７ｂと下部ブラケット１８の腕部１８ｂを重ね、同様に腕部１７ｃと腕部１８ｃを重ね、固定ボルト１９を腕部１７ｂと１８ｂのボルト挿入穴に挿入し、固定ボルト１９で上部ブラケット１７と下部ブラケット１８とを連結して固定する。なお、腕部１７ｂ、１８ｃ、１８ｂ、１８ｃの先端側から重ねていき、組み立て後のメインブラケット２０の断面形状は概略ロの字となる。従って、メインブラケット２０の内部には、主板１７ａ、１８ａの幅Ａと腕部１７ｂ、１８ｃ、１８ｂ、１８ｃで構成される作業スペース（図２参照）が確保される。
【００３２】
そしてメインブラケット２０とサブブラケット２１とを、パイプ４’を挟むように対向させた状態で、固定ボルト８をメインブラケット２０側からメインブラケット２０の腕部１７ｂ、１８ｂ、サブブラケット２１に挿入して、固定ナット９で組み込む。なお、固定ナット９が固定ボルト８から脱落しないように固定ナット９や固定ボルト８を変形させておくとよい。
【００３３】
このような構成で、メインブラケット２０の腕部１７ｃ、１８ｃのボルト挿入穴に固定ボルト７を挿入し、この固定ボルト７と雌ネジ３により、メインブラケット２０を被固定本体１に取り付ける。なお、腕部１７ｃ、１８ｃにさらにボルト挿入穴を設け、このボルト挿入穴と被固定本体１の固定穴２を使用して、被固定本体１に固定してもよい。
【００３４】
次に、サブブラケット２１に設けらているだるま状のボルト挿入穴の大径部から固定ボルト８を外す。そして、図７と同様に、ポール４’をメインブラケット２０とサブブラケット２１とで挟み込む。そして、固定ボルト８を再度サブブラケット２１の大径部から挿入してメインブラケット２０、サブブラケット２１の切り欠き部にポール４’を嵌め合わせ、固定ボルト８と固定ナット９により取り付ける。
【００３５】
続いて、仕様内の細いポール４に被固定本体１を取り付ける場合の説明をする。サブブラケット２１の代わりに図５に示すサブブラケット６を用いる。また、主板の幅Ａの寸法がブラケット１７、１８よりも小さいメインブラケットを用いる。一方、ポール４’よりも太いポールに取り付ける場合は、主板の幅Ａの寸法がブラケット１７、１８よりも大きいメインブラケットを用いる。つまり、メインブラケットの幅Ａの寸法を調整することにより、ポールの径の太さに関わらず固定ボルト８は同一のものを用いて、ポールに被固定本体１への取り付けを行う。
【００３６】
このように、メインフレーム２０が、概略コの字の上部ブラケット１７と概略コの字の下部ブラケット１８とを対向して重ね合わせるので、メインフレーム２０の断面形状が概略ロの字となり、メインフレーム２０の内部に作業スペースを確保できる。これにより、被固定本体１、メインフレーム２０、サブフレーム２１のそれぞれを固定する固定ボルト７、８、１９、固定ナット９を容易に取り付けることができる。従って、ポール４、４’の径の太さに関わらず容易に被固定本体１をポール４、４’に固定することができる。
【００３７】
また、ポール４、４’の直径によって幅Ａの寸法が異なるメインブラケット２０を用いるので、ボール４、４’の直径にあわせて固定ボルト８の長さを変更する必要がない。これにより、固定ボルト８は１種類で済み、工具も１種類でよい。従って、ポール４、４’の径の太さに関わらず容易に被固定本体１をポール４、４’に固定することができる。
【００３８】
さらに、ポール４、４’の径の太さに関わらず使用するブラケット１７、１８の数が同じなので、図８に示すようにスペーサ用ブラケット１１が不要となり、部品点数を削減することができる。従って、ポール４、４’の径の太さに関わらず容易に被固定本体１をポール４、４’に固定することができる。
【００３９】
なお、本発明はこれに限定されるものではなく、以下のようなものでもよい。
メインブラケット２０とサブブラケット２１とを固定ボルト８、固定ナット９であらかじめ組み立ててから、パイプ４’に取り付ける構成を示したが、メインブラケット２０をパイプ４’に嵌め合わせて固定ボルト８をメインブラケット２０に挿入してもよい。そして、サブブラケット２１をボルト８に取り付けてパイプ４’を嵌め合わせてから、固定ナット９で取り付けてもよい。
【図面の簡単な説明】
【００４０】
【図１】本発明の一実施例を示す構成図（斜視図）である。
【図２】本発明の一実施例を示す構成図（側面図）である。
【図３】図１、図２に示すメインブラケットの構成図である。
【図４】被固定本体１の斜視図である。
【図５】従来のアタッチメントを用いて被固定本体を細いポールに取り付けた状態の構成図（斜視図）である。
【図６】従来のアタッチメントを用いて被固定本体を細いポールに取り付けた状態の構成図（側面図）である。
【図７】ポールへの取付手順を示す構成図である。
【図８】従来のアタッチメントを用いて被固定本体を太いポールに取り付けた状態の構成図（斜視図）である。
【図９】従来のアタッチメントを用いて被固定本体を太いポールに取り付けた状態の構成図（側面図）である。
【符号の説明】
【００４１】
１  被固定本体
４’  ポール
８  固定ボルト
１７  上部ブラケット
１８  下部ブラケット
２０  メインブラケット
２１  サブブラケット
【図１】
2005299763.tif 000003
【図２】
2005299763.tif 000004
【図３】
2005299763.tif 000005
【図４】
2005299763.tif 000006
【図５】
2005299763.tif 000007
【図６】
2005299763.tif 000008
【図７】
2005299763.tif 000009
【図８】
2005299763.tif 000010
【図９】
2005299763.tif 000011